(57)【特許請求の範囲】
【請求項１】
検査視標を表示するディスプレイを持ち、被検者から所定の検査距離に設置される装置本体を備える視標呈示装置において、
多数の検査視標を記憶する記憶手段と、
前記装置本体と被検者との検査距離を入力する検査距離入力手段と、
検査視標を選択するための複数の視標選択スイッチを持つコントローラであって、入力された検査距離に応じて表示サイズを変えるように設定された検査視標を選択するための第１視標選択スイッチと、入力された検査距離に拘わらずに予め設定された表示サイズの検査視標を選択するための第２視標選択スイッチと、を有するコントローラと、
前記第１視標選択スイッチの選択信号が入力されたときには選択された検査視標を前記記憶手段から呼び出し、前記検査距離入力手段で入力された検査距離に基づいて検査距離に応じた表示サイズで前記ディスプレイに表示させ、前記第２視標選択スイッチの選択信号が入力されたときには選択された検査視標を前記記憶手段から呼び出し、予め設定された表示サイズで前記ディスプレイに表示させる表示制御手段と、
を備えることを特徴とする視標呈示装置。
【請求項２】
請求項１の視標呈示装置は、前記第２視標選択スイッチにより選択される検査視標の表示サイズを設定するための設定画面を前記ディスプレイに表示させ、該設定画面にて検査視標の表示サイズの設定情報を入力する操作スイッチを有する視標サイズ設定手段を備え、
前記表示制御手段は、前記第２視標選択スイッチの選択信号が入力されたときには前記視標サイズ設定手段によって設定された表示サイズで前記ディスプレイに表示させることを特徴とする視標呈示装置。
【請求項３】
請求項１の視標呈示装置において、前記第２視標選択スイッチに対応させる検査視標を割り当てる情報を入力するための設定画面を前記ディスプレイに表示させ、該設定画面にて前記記憶手段に記憶された検査視標の中から前記第２視標選択スイッチに割り当てる情報を入力するための操作スイッチを持つスイッチ設定手段を備え、
前記表示制御手段は、前記第２視標選択スイッチの選択信号が入力されたときには前記スイッチ設定手段により設定された前記第２視標選択スイッチの割り当て情報に基づいて前記記憶手段に記憶された検査視標を呼び出し、予め設定された表示サイズで前記ディスプレイに表示させることを特徴とする視標呈示装置。
【発明の詳細な説明】
【技術分野】
【０００１】
本発明は、視力検査視標等の検査視標をディスプレイに表示する視標呈示装置に関する。
【背景技術】
【０００２】
視標ディスク板に描かれた視標を背後から照明し、投影レンズによりスクリーンに視標を投影する視標呈示装置がある（例えば、特許文献１参照）。この投影タイプの視標呈示装置では、投影レンズの移動により検査距離に応じたサイズの検査視標がスクリーンに投影される。また、近年においては、装置本体に設けられたディスプレイに視力検査視標等の種々の検査視標が表示される視標呈示装置が実用化されている（例えば、特許文献２、３参照）。このディスプレイタイプの視標呈示装置においては、多数の検査視標がメモリに記憶され、検査距離の設定情報とコントローラからの視標選択信号に基づいてメモリから視標データが読み出されてディスプレイに表示される。メモリには、その記憶容量が許す範囲で様々な視標を記憶可能である。例えば、放射線視標には、様々なパターンがあるが、被検者の好み又は検者の検査方針に応じて、メモリに記憶されたパターンの中から、検者が所望するパターンの視標をコントローラの放射線視標選択用スイッチに設定しておくことができる。
【特許文献１】特開２００３−３１０５５２号公報
【特許文献２】特開２００６−４２９７８号公報
【特許文献３】特開２００８−２３１２９号公報
【発明の開示】
【発明が解決しようとする課題】
【０００３】
ところで、検査視標の中には、設定された検査距離に関係なくサイズを変化させても良い視標がある。しかし、ディスプレイ式の視標呈示装置においても、投影タイプの装置と同じように、検査距離に応じたサイズの視標がディスプレイに表示されるように設定されている。このため、設定された検査距離で表示されるサイズの視標以外を必要とする場合であっても、その視標を表示させることができなかった。また、コントローラに配置されているスイッチには限りがあるため、コントローラのスイッチに設定可能な視標は制限される。このため、放射線視標等のように様々なパターンの視標がメモリに標準的に記憶されていても、所定の視標選択スイッチに一つのパターンのみしか設定できず、その設定にも複雑な作業を経る必要があり、メモリに標準的に記憶されている視標であっても、コントローラのスイッチで選択して容易に使用することができなかった。
【０００４】
本発明は、上記従来装置の問題点に鑑み、設定された検査距離で表示されるサイズ以外の視標をコントローラのスイッチで容易に選択して検査に使用でき、さらには複数のタイプがある視標等についても、コントローラのスイッチで容易に選択して検査に使用できる視標呈示装置を提供することを技術課題とする。
【課題を解決するための手段】
【０００５】
上記課題を解決するために、本発明は以下のような構成を備えることを特徴とする。
【０００６】
（１）  検査視標を表示するディスプレイを持ち、被検者から所定の検査距離に設置される装置本体を備える視標呈示装置において、
多数の検査視標を記憶する記憶手段と、
前記装置本体と被検者との検査距離を入力する検査距離入力手段と、
検査視標を選択するための複数の視標選択スイッチを持つコントローラであって、入力された検査距離に応じて表示サイズを変えるように設定された検査視標を選択するための第１視標選択スイッチと、入力された検査距離に拘わらずに予め設定された表示サイズの検査視標を選択するための第２視標選択スイッチと、を有するコントローラと、
前記第１視標選択スイッチの選択信号が入力されたときには選択された検査視標を前記記憶手段から呼び出し、前記検査距離入力手段で入力された検査距離に基づいて検査距離に応じた表示サイズで前記ディスプレイに表示させ、前記第２視標選択スイッチの選択信号が入力されたときには選択された検査視標を前記記憶手段から呼び出し、予め設定された表示サイズで前記ディスプレイに表示させる表示制御手段と、
を備えることを特徴とする。
（２）  （１）の視標呈示装置は、前記第２視標選択スイッチにより選択される検査視標の表示サイズを設定するための設定画面を前記ディスプレイに表示させ、該設定画面にて検査視標の表示サイズの設定情報を入力する操作スイッチを有する視標サイズ設定手段を備え、
前記表示制御手段は、前記第２視標選択スイッチの選択信号が入力されたときには前記視標サイズ設定手段によって設定された表示サイズで前記ディスプレイに表示させることを特徴とする。
（３）  （１）の視標呈示装置において、前記第２視標選択スイッチに対応させる検査視標を割り当てる情報を入力するための設定画面を前記ディスプレイに表示させ、該設定画面にて前記記憶手段に記憶された検査視標の中から前記第２視標選択スイッチに割り当てる情報を入力するための操作スイッチを持つスイッチ設定手段を備え、
前記表示制御手段は、前記第２視標選択スイッチの選択信号が入力されたときには前記スイッチ設定手段により設定された前記第２視標選択スイッチの割り当て情報に基づいて前記記憶手段に記憶された検査視標を呼び出し、予め設定された表示サイズで前記ディスプレイに表示させることを特徴とする。
【発明の効果】
【０００７】
本発明によれば、設定された検査距離で表示されるサイズ以外の視標をコントローラのスイッチで容易に選択して検査に使用できる。また、複数のタイプがある視標等についてもコントローラのスイッチで容易に選択して検査に使用できる。
【発明を実施するための最良の形態】
【０００８】
以下、本発明の実施例を図面に基づいて説明する。図１は視標呈示装置の概略構成図、図２は視標呈示装置の制御ブロック図である。視標呈示装置の装置本体１０には、カラーの液晶ディスプレイ（以下、ＬＣＤ）１２と、リモートコントローラ（以下、リモコン）２０からの光信号を受信する受信部１４が設けられている。また、装置本体１０の下方には５つのスイッチ１３ａ，１３ｂ，１３ｃ，１３ｄ,１３ｅを持つファンクションスイッチ１３が設けられている。これらファンクションスイッチ１３はＬＣＤ１２上に条件設定画面を表示し、パラメータを設定する際の操作スイッチとして使用される。ＬＣＤ１２の表示は制御部１５により制御される。制御部１５には、ファンクションスイッチ１３、受信部１４、多数の視標データを記憶するメモリ１６が接続されている。
【０００９】
メモリ１６には、メーカー用のフォルダ１６ａと、検者（使用者）が準備又は設定した登録用のフォルダ１６ｂと、履歴用のフォルダ１６ｃが用意されている。メーカー用のフォルダ１６ａには、装置メーカーが準備した視標データが記憶されている。登録用のフォルダ１６ｂには使用者によって準備又は読み込まれた視標データが記憶される。履歴用のフォルダ１６ｃは一旦登録用フォルダ１６ｂに登録された視標データのうちで、削除された視標データが記憶される。なお、メモリ１６の記憶領域について、必ずしもメーカー用フォルダ１６ａ、登録用フォルダ１６ｂが区分けされる必要は無いが、これらの記憶領域が分けられていると都合が良い。メーカー用フォルダ１６ａと登録用フォルダ１６ｂとの記憶領域が分けられていることによって、メーカー側が準備した視標データと検者によって登録された視標データとが混同されることを避け、検者が誤ってメーカー側で準備した視標データを消去または変更してしまうというトラブルを避けることができる。
【００１０】
メーカー用フォルダ１６ａには屈折力検査のための視力値視標、乱視検査のための放射線視標および点群視標、球面調整用のクロスグリッド視標の他、両眼視機能検査のための精密立体視視標等、各種検査視標を構成するための各種の視標データが所定の検査距離毎に記憶されている。検査距離は、例えば２．５〜６ｍまで、０．５ｍステップで設定可能にされている。なお、視力値視標には、ランドルト環視標、ひらがな視標、英字視標、数字視標、鳥や花などのイラストからなる絵視標等の様々な種類が記憶されている。
【００１１】
登録用フォルダ１６ｂに登録される視標データ（登録データ）は、メーカーによって予め設定されたファイル名（「ｋ００１」、「ｋ００２」、・・・「ｋ０１８」）が付与される。これらのファイル名はリモコン２０のスイッチパネル２６に配置された１８個の各スイッチに対応付けられている。
【００１２】
図３は、リモコン２０の構成図である。リモコン２０には、視標選択信号を光信号により送信するための通信窓２０ａと、呈示視標及び操作情報等を表示する液晶ディスプレイ２１と、ＬＣＤ１２に表示される視標を選択するスイッチを含む各種のスイッチと、が配置されている。スイッチパネル２６に配置された１８個のスイッチは、視力値検査視標及び登録用フォルダ１６ｂに記憶された視標を選択するときに使用される。スイッチ２３は、スイッチパネル２６の１８個のスイッチにより選択される視標の種類のモードを切換えるときに使用される。スイッチパネル２６のスイッチにより選択可能な視標の種類のモードは、スイッチ２３が押される毎に、ランドルト環視標モード、ひらがな視標モード、英字視標モード、数字視標モード、絵視標モード及び登録視標モード（使用者により任意に設定された視標を選択可能にするモード）の順に切換えられる。スイッチパネル２７に配置された１０個のスイッチは、放射線視標、両眼視機能検査視標等の特殊視標を選択するときに使用される。スイッチ２４は、視力値を１ステップずつ増減させるときに使用される。スイッチパネル２８に８方向に配置されたスイッチは、視力値視標の方向（例えば、ランドルト環視標の切れ目の方向）を選択するときに使用される。
【００１３】
スイッチ２３によりランドルト環視標モード、ひらがな視標モード、英字視標モード、数字視標モード、絵視標モードが選択されたときのスイッチパネル２６のスイッチ及びスイッチパネル２７のスイッチは、メモリ１６のメーカー用フォルダ１６ａの記憶された検査視標の中で所定の検査視標に予め割り当てられた第１視標選択スイッチとして用いられる。一方、スイッチ２３により登録視標モードが選択されたときのスイッチパネル２６のスイッチは、第１視標選択スイッチに割り当てられていない検査視標を検者が任意に設定するために準備された第２視標選択スイッチとして用いられる。
【００１４】
なお、スイッチパネル２６のスイッチは、視力値視標の選択スイッチとして使用されるとき、次のように設定されている。右列の６個のスイッチは、上から順に、視力値０．０３、０．０４、０．０５、０．０６、０．０８、０．１に対応している。中央列の６個のスイッチは、上から順に、視力値０．２、０．３、０．４、０．５、０．６、０．７に対応している。左列の６個のスイッチは、上かから順に、視力値０．８、０．９、１．０、１．２、１．５、２．０に対応している。また、登録視標の選択用として使用されるとき、各スイッチの右横に記載された番号（１、２、…、１８）と登録用フォルダ１６ｂのファイル名（「ｋ００１」、「ｋ００２」、…、「ｋ０１８」）が対応するように設定されている。
【００１５】
各スイッチの信号は制御ユニット２２に入力され、通信窓２０ａからスイッチに対応した所定コードの光信号に変換されて送信される。装置本体１０側の受信部１４で受信された信号は、制御部１５へ入力される。制御部１５は受信信号に基づいて、メモリ１６（メーカー用フォルダ１６ａまたは登録用フォルダ１６ｂ）から視標を呼び出して、ＬＣＤ１２の表示を制御して視標を呈示させる。
【００１６】
次に、以上のような構成を持つ装置において、その動作を説明する。まず、装置本体１０の検査距離の設定と、その表示動作について説明する。ファンクションスイッチ１３のいずれかが押されると、図４に示すように、ＬＣＤ１２にはパラメータ設定画面８０が表示される。パラメータ設定画面８０には、装置の色々なパラメータを設定する項目８２として、検査距離を設定する「Ｄｉｓｔａｎｃｅ」、検者が新規視標データを保存するための設定画面を表示する「Ｃａｐｔｕｒｅ」等さまざまな項目が用意されている。画面８０の下方には操作条件８４が設けられており、各操作条件８４ａ〜８４ｄはそれぞれファンクションキー１３のスイッチ１３ａ〜１３ｄに対応している。この設定画面８０では、ＵＰキー８４ａはスイッチ１３ａに、ＤＯＷＮキー８４ｂはスイッチ１３ｂに、ＣＨＡＮＧＥキー８４ｃはスイッチ１３ｃに、ＳＥＴキー８４ｄはスイッチ１３ｄに夫々対応している。なお、選択するパラメータに応じて、ファンクションキー１３のスイッチ１３ａ〜１３ｄに対応させる機能が変わるようにしても良い。
【００１７】
装置本体１０の検査距離を設定する場合、検者はＵＰキー８４ａとＤＯＷＮキー８４ｂの操作により、カーソル８１ａを検査距離の設定項目である「Ｄｉｓｔａｎｃｅ」に合わせる。ＣＨＡＮＧＥキー８４ｃを押す毎に、検査距離の設定データが６ｍ、５．５ｍ、５ｍ、・・・、２．５ｍと変わるので、例えば、３ｍの距離に合わせる。カーソル８１ａを「ＥＸＩＴ」８３に移動し、ＳＥＴキー８４ｄに対応するスイッチを押して設定画面を終了すると、検査距離が３ｍに設定される（検査距離３ｍに対応した視標データが内部メモリに入力される）。
【００１８】
検査距離が設定されると、制御部１５は、リモコン２０の各スイッチで選択される視力値視標及び特殊視標について、検査距離の設定情報に基づき、検査距離に対応したサイズとするようにＬＣＤ１２の表示を制御する。検査距離が３ｍに設定されている場合、検査距離６ｍのときのサイズに対して半分のサイズの視標がＬＣＤ１２に表示される。なお、メモリ１６のフォルダ１６ａに視標データが検査距離毎に記憶されている構成の場合は、メモリ１６のフォルダ１６ａから検査距離に対応する視標データが呼び出されてＬＣＤ１２に表示される。
【００１９】
ここで、特殊視標の中には、図５に示される乱視検査用の放射線視標１００ａのように、必ずしも検査距離に対応したサイズにしなくても検査が可能な視標がある。図５（ａ）は、検査距離６ｍの表示例であり、図５（ｂ）は、検査距離３ｍの表示例である。このような視標においては、検査距離が３ｍであっても、図５（ａ）の検査距離６ｍのときのサイズで視標を表示しても良い。視標の表示サイズを検査距離に応じたサイズにしなくても良い視標については、視標サイズを大きくすると、被検者に視標を視認させやすくすることが可能になる。
【００２０】
しかし、検査距離が３ｍに設定されている場合、リモコン２０に予め設定されたスイッチ（第１視標選択スイッチ）では、検査距離６ｍのときのサイズが大きな視標を表示させることができない。この対応として、スイッチパネル２６のスイッチを登録視標モードで使用し、以下のようにして任意の検査視標を各スイッチに割り当てることにより、サイズを大きくした視標を容易に選択可能にすることができる。
【００２１】
始めに、検者は、サイズを変更したい視標をリモコン２０のスイッチにより選択し、ＬＣＤ１２に表示させておく。次に、前述と同様に、ファンクションスイッチ１３の操作によりパラメータ設定画面８０をＬＣＤ１２に表示させた後、設定項目の「Ｄｉｓｔａｎｃｅ」の設定値を６ｍに変更する。続いて、カーソル８１ａを「Ｃａｐｔｕｒｅ」の項目に移動した後、ＳＥＴキー８４ｄを押すと、ＬＣＤ１２の画面は、図６に示すように、放射線視標１００ａと視標情報４１が表示されたキャプチャ画面４０に切換えられる。視標情報４１の表示欄には、検査距離、視標の種類等の情報が示されている項目４１ａと、操作条件４２からなる。操作条件４２は、スイッチ１３ａと対応する「ＹＥＳ」キー４２ａと、スイッチ１３ｂに対応する「ＮＯ」キー４２ｂが設けられている。「ＮＯ」キー４２ｂがスイッチ１３ｂにより選択されると、制御部１５はＬＣＤ１２の表示を１つ前のパラメータ設定画面８０に戻す。「ＹＥＳ」キー４２ａがスイッチ１３ａにより選択されると（「ＹＥＳ」キー４２ａに対応するスイッチ１３ａの信号が入力されると）、制御部１５は、図７に示されるように、スイッチパネル２６のスイッチが登録視標モードで使用されるときの各スイッチに対応させる視標を設定登録するための設定画面５０をＬＣＤ１２に表示する。なお、ここで検者が設定登録したい視標を変更したい場合には、リモコン２０の視標選択スイッチの信号を入力することにより、ＬＣＤ１２に表示する視標を切換えることもできる。
【００２２】
図７において、設定画面５０は、登録用フォルダ１６ｂに登録された視標データの一覧表（登録一覧表）５０ａと、登録用フォルダ１６ｂから削除された視標データの履歴（削除履歴一覧表）５０ｂから構成される。登録一覧表５０ａは、新規に設定登録しようとしている視標情報（検査距離、種類等）が表示される項目５１と、登録先５２ａの内容が表示される項目５２と、ページ切換え用の項目５３と、操作条件５４と、からなる。登録先５２ａの各欄に付された番号（Ｎｏ．）は、スイッチパネル２６に配置された１８個のスイッチの番号に対応している。ファイル名５２ｂの各欄には、登録先５２ａの番号（Ｎｏ．）に対応したファイル番号（ｋ００１〜ｋ０１８）が表示されている。登録先５２ａに視標データが登録されている場合には、登録情報５２ｃの各欄に視標の検査距離、視標名などが表示される。
【００２３】
操作条件５４は、カーソル５５ａを移動させる「ＣＨＡＮＧＥ」キー５４ａと、登録済みのファイルを削除して新規視標データを上書き保存する「ＲＥＷＲＩＴＥ」キー５４ｂと、新規の視標データをカーソル５５ａで指定された登録先５２ａに挿入するための「ＩＮＳＥＲＴ」キー５４ｃと、登録先５２ａの視標データを削除する「ＤＥＬＥＴＥ」キー５４ｄと、「ＳＥＴ」キー５４ｅからなる。キー５４ａ〜５４ｅはスイッチ１３ａ〜１３ｅにそれぞれ対応している。
【００２４】
「ＣＨＡＮＧＥ」キー５４ａに対応するスイッチ１３ａが押される毎に（スイッチ１３ａの信号が入力される毎に）、カーソル５５ａにより指定されている登録先５２ａが順次切換えられる。例えば、スイッチパネル２６の番号「１」のスイッチに、図６に示される放射線視標１００ａを割り当てる場合、カーソル５５ａを登録先５２ａの「Ｎｏ．１」に合わせる。次に、「ＲＥＷＲＩＴＥ」キー５４ｂに対応するスイッチ１３ｂが押されると、制御部１５は、そのスイッチ信号の入力に基づき、キャプチャ画面４０に表示されている放射線視標１００ａの視標データを読み込み、登録先５２ａの「Ｎｏ．１」に対応するファイル名「ｋ００１」を自動的に付け、登録フォルダ１６ｂに記憶する。これにより、スイッチパネル２６の番号「１」のスイッチに対する検査視標の割り当て情報が入力される。指定された登録先５２ａの「Ｎｏ．１」に視標データが登録されている場合には、「ＲＥＷＲＩＴＥ」キー５４ｂが押されることにより、制御部１５は古い視標データを削除し、新しい視標データに置き換える。なお、「ＲＥＷＲＩＴＥ」キー５４ｂの操作によって、削除された視標データは、履歴フォルダ１６ｃに移動される。
【００２５】
「ＩＮＳＥＲＴ」キー５４ｃは、登録先５２ａの全ての欄が視標データで埋まっていないときに使用できる。「ＩＮＳＥＲＴ」キー５４ｃが選択されると、カーソル５５ａで指定されている登録先５２ａの欄に視標データが登録される。そして、新しく登録された視標データの登録先５２ａよりも、後の番号に保存されていた視標データの保存先がシフトされる。「ＤＥＬＥＴＥ」キー５４ｄが選択されると、カーソル５５ａで指定された登録先５２ａの欄に登録されている視標データが削除される。
【００２６】
新規の視標データの設定登録が完了したら、カーソル５５ａにより「ＥＸＩＴ」５３ｂを指定した後、「ＳＥＴ」キー５４ｅのスイッチ１３ｅを押すと、ＬＣＤ１２の画面は図６のキャプチャ画面４０に戻される。図６において、「ＮＯ」キー４２ｂのスイッチ１３ｂが押されると、ＬＣＤ１２の画面は図４のパラメータ設定画面８０に戻される。そして、パラメータ設定画面８０を終了することにより、ＬＣＤ１２の画面は検査が可能な状態に戻される。
【００２７】
続けて新規視標データの登録を行いたい場合には、前述の操作を繰返せばよい。例えば、図８（ａ）は、乱視検査のクロスシリンダ検査時に使用される点群視標１１０ａが表示されたキャプチャ画面４０の例であり、検査距離５ｍのサイズで設定されている。図８（ｂ）は、球面度数調整時に使用されるクロスグリッド視標１２０ａが表示されたキャプチャ画面４０の例であり、検査距離５ｍのサイズで設定されている。図７の設定画面５０により、点群視標１１０ａはスイッチパネル２６の番号「２」のスイッチ（登録先５２ａの「Ｎｏ．２」）に設定され、クロスグリッド視標１２０ａはスイッチパネル２６の番号「３」のスイッチ（登録先５２ａの「Ｎｏ．３」）に設定されているものとする。なお、図７において、カーソル５５ａにより「Ｐａｇｅ」５３ａを指定した後、「ＳＥＴ」キー５４ｅのスイッチ１３ｅを押すと、削除履歴一覧表５０ｂが選択される。
【００２８】
ここで、削除履歴一覧表５０ｂについて説明する。削除履歴一覧表５０ｂには登録一覧表５０ａから削除され、フォルダ１６ｃに保存された視標データの一覧が表示されている。削除履歴一覧表５０ｂは視標一覧５６と、操作条件５７から構成される。視標一覧５６には登録一覧表５０ａで削除された視標データが順番に表示される。操作条件は、カーソル５５ｂを移動させるための「ＣＨＡＮＧＥ」キー５７ａ、視標一覧５６の視標データを登録一覧表５０ａに再登録する場合に選択する「ＲＥＵＳＥＤ」キー５７ｃ、視標一覧５６の視標データをメモリ１６から、完全に消去する「ＤＥＬＥＴＥ」キー５７ｄ、「ＳＥＴ」キー５７ｅからなる。各キー５７ａ，５７ｃ，５７ｄ，５７ｅは、ファンクションスイッチ１３のスイッチ１３ａ，１３ｃ，１３ｄ，１３ｅにそれぞれ対応している。
【００２９】
この削除履歴一覧表５０ｂを使用して、一度削除した視標を再登録することができる。「ＣＨＡＮＧＥ」キー５７ａによってカーソル５５ｂを再登録したい視標データに合わせ、「ＲＥＵＳＥＤ」キー５７ｃのスイッチ１３ｃを押すと、削除履歴一覧表５０ｂ上にキャプチャ画面４０と同じ形式の画面（図示を略す）が表示される。その画面に表示される視標により、再登録の可否を確認できる。
【００３０】
次に、図７の設定画面５０で設定された情報に基づく検査動作を説明する。なお、装置本体１の検査距離は３ｍで設定されているものとする。検査に先立ち、スイッチ２３により視力値視標の種類を選択しておく。例えば、ランドルト環視標モードを選択すると、スイッチパネル２６の１８個の各スイッチを操作することにより、視力値０．０３から視力値２．０までの１８段階のサイズを持つランドルト環視標を選択できる。リモコン２０から光信号で送信されたスイッチ信号は、装置本体１０側の受信部１４で受信され、制御部１５へ入力される。制御部１５は、スイッチ信号のコードに対応した視標データをメモリ１６から呼び出し、ＬＣＤ１２にランドルト環視標を表示させる。
【００３１】
乱視軸の確認検査のために、スイッチパネル２７に配置されたスイッチ２７ａにより、予め標準設定された放射線視標１００ａが選択された場合、制御部１５はメモリ１６のメーカー用フォルダ１６ａに記憶された検査距離３ｍ用のサイズを持つ放射線視標１００ａを呼び出してＬＣＤ１２に表示させる（又は放射線視標１００ａの表示サイズを３ｍ用のサイズに画像処理で変更する場合も含む）。検査距離３ｍ用の視標サイズでは検査視標が小さく、前述の図７の設定画面５０により設定したサイズの放射線視標１００ａを表示させる場合、検者はスイッチ２３により登録視標モードを選択した後、スイッチパネル２６が持つ番号「１」のスイッチを選択する。制御部１５は、登録視標モードのときのスイッチ信号に基づき、登録用フォルダ１６ｂにファイル名「ｋ００１」で記憶された放射線視標１００ａの視標データを呼び出し、これをＬＣＤ１２に表示させる。これにより、検者は検査距離の設定に拘わらず、検者自身で設定した所望サイズの放射線視標１００ａを検査に使用することができる。
【００３２】
また、登録視標モードで検者が用意した視標が選択されたときには、図５（ａ）に示すように、画面の隅に視標情報１０２が表示される。視標情報１０２には取得した検査視標の元の情報として、検査距離、視標の種類など（視力値視標の場合には、さらに視力値の情報）が表示される（図６の項目４１ａの内容）。視標情報１０２が一緒に表示されることで、メーカーにより予め標準として用意された視標か検者が用意した視標か、を判別可能にしている。このようにすると、メーカーが用意した視標と検者が登録した視標との混同を避け、視標の選択間違いを防止できる。
【００３３】
同様に、登録視標モードのままスイッチパネル２６が持つ番号「２」のスイッチを選択することにより、図８（ａ）の点群視標１１０ａを表示させることができる。また、登録視標モードのままスイッチパネル２６が持つ番号「３」のスイッチを選択することにより、図８（ｂ）のクロスグリッド視標１２０ａを表示させることができる。
【００３４】
上記は検査距離に対応したサイズにしなくても検査が可能な特殊視標についての例であったが、視力値視標についても標準でメモリ１６に記憶されている視力検査範囲外の視標を呈示することが可能になる。例えば、検査距離６ｍのときに視力値０．０３のサイズを持つ視標は、検査距離３ｍでは視力値０．０１５の視標として使用できる。
【００３５】
図９は、検査距離６ｍのときに視力値０．０３のサイズを持つランドルト環視標１３０ａのキャプチャ画面４０の例である。このランドルト環視標１３０ａのキャプチャ画面４０は、前述のように、一旦、検査距離の設定を６ｍにした後、キャプチャ画面４０を表示させ、リモコン２０のスイッチ操作により視力値０．０３のランドルト環視標を選択することにより、設定することができる。その後は、ファンクションスイッチ１３の所定の操作により、図７の設定画面５０を開き、例えば、登録先５２ａの「Ｎｏ．４」にこの視標を登録する。これにより、スイッチパネル２６が持つ番号「４」のスイッチにランドルト環視標１３０ａが割り当てられる。そして、検査距離３ｍの設定時には、登録視標モードでスイッチパネル２６が持つ番号「４」のスイッチを選択することにより、視力値０．０１５の視標をＬＣＤ１２に表示できる。なお、ランドルト環視標のように方向性を持つ視標の場合、スイッチパネル２８のスイッチにより方向を選択する信号が入力されると、制御部１５により視標の方向を切換えるようにＬＣＤ１２の表示が制御される。
【００３６】
このように、ある検査距離で使用される視力値視標を他の検査距離でも使用できるようにすれば、メーカーにより標準的に用意された視力値以外の視標を選択できるようになり、より詳細な視力検査を行えるようになる。
【００３７】
なお、ある検査距離で所定サイズを持つ視力値視標を他の検査距離でも使用する場合には、実際に設定される検査距離に対応した視力値の視標として使用する必要がある。しかし、これは経験の少ない検者にとっては容易でない。もし、誤った視力値の視標として使用してしまうと、正確な視力検査が行われなくなる。
【００３８】
そこで、視力値視標の場合には、図９のキャプチャ画面に代えて、ある検査距離のサイズの視力値視標を他の検査距離で使用するときに何れの視力値に相当するかが予め計算された情報を持つ設定画面が使用される。図１０はその例である。図１０において、視力値視標の設定画面２００は、第１の検査距離２０１の各視力値に対して、第２の検査距離２０２のときに換算される視力値の情報が表示されている。「ＣＨＡＮＧＥ」キー２１０ａに対応するファンクションスイッチ１３のスイッチ１３ａによりカーソル２０５を登録したい視力値欄に移動させ、「ＲＥＧＩＳＴ」キー２１０ｂに対応するスイッチ１３ｂを押すことにより、図７の設定画面５０に移行される。「ＣＡＮＣＥＬ」キー２１０ｃに対応するスイッチ１３ｃを押すと、設定が解除され、一つ前の画面８０に切り換えられる。検者は、図１０のように検査距離に応じて予め計算された視力値の欄にカーソル２０５を合わせることにより、所望する視力値視標を容易に設定できる。
【００３９】
登録視標モードのスイッチに割り当てると効果的な視標の他の例を説明する。例えば、図５に例示された乱視検査用の放射線視標は、図１１の示されるように、Ｎｏ．１〜Ｎｏ．７までの複数のタイプのものがメーカーにより予め用意され、メモリ１６に記憶されている。これらの視標の何れかをスイッチパネル２７の放射線視標選択用のスイッチ２７ａに設定する場合、ファンクションスイッチ１３の操作により図４のパラメータ設定画面８０をＬＣＤ１２に表示させ、項目８２の中の「Ｃｌｏｃｋ  ｄｉａｌ」にカーソル８１ａを合わせた後、ＣＨＡＮＧＥキー８４により所望のタイプを選択する。例えば、ＮＯ．４の放射線視標１００ａを選択する。そして、ＳＥＴキー８４ｄのスイッチ１３ｄを押してパラメータ設定画面８０を終了することにより、スイッチ２７ａにＮｏ．４の放射線視標１００ａが設定される。
【００４０】
ここで、ある被検者に対して、図１１のＮｏ．７の放射線視標１００ｂを呈示したいときには、再び、図４のパラメータ設定画面８０を使用してスイッチ２７ａの設定を変更する必要がある。そして、Ｎｏ．４の放射線視標１００ａを呈示したいときには、再度、図４のパラメータ設定画面８０を使用してスイッチ２７ａの設定を変更する必要がある。しかし、スイッチ２７ａの割り当てでは、複雑な設定作業の変更が必要であり、手間である。この場合にも、登録視標モードによるスイッチパネル２６のスイッチを使用すると都合が良い。すなわち、図１１のＮｏ．７の放射線視標１００ｂを使用したいときには、図６のキャプチャ画面４０に放射線視標１００ｂを表示させた後、図７の設定画面５０を表示させる。そして、設定画面５０にて、所望するスイッチ番号に対応する登録先５２ａの番号欄に放射線視標１００ｂに登録する。これにより、登録視標モードによるスイッチパネル２６のスイッチを使用して、放射線視標１００ｂをＬＣＤ１２に表示させることができる。
【００４１】
図１２は、登録視標モードによるスイッチパネル２６のスイッチを使用すると都合が良い他の視標例であり、両眼視機能検査時に使用される不等像視視標１４０の例である。不等像視視標１４０では、白地背景の中に不等像視視標を表示させるパターンの視標１４０ａと、黒地背景の中に不等像視視標を表示させるパターンの視標１４０ｂとがある。例えば、スイッチパネルのスイッチ２７ｇには、パラメータ設定画面８０の「Ｃｏｉｎｃｉｄｅｎｃｅ」の項目にて、「ＷＨＩＴＥ」の視標１４０ａを割り当てる。一方、他方のパターンの視標１４０ｂについては、図６のキャプチャ画面４０及び図７の設定画面５０を使用して、登録視標モードによるスイッチパネル２６のスイッチに割り当てる。これにより、パラメータ設定画面８０を使用した複雑な設定変更を行うことなく、被検者に応じて、視標１４０ａと視標１４０ｂとを選択的に容易に呈示可能になる。
【００４２】
以上説明した視標は単に例示に過ぎず、これらに限られるものではない。このように、標準のスイッチ（第１視標選択スイッチ）には割り当てられていない視標を、登録視標モードによるスイッチパネル２６のスイッチ（第２視標選択スイッチ）に設定し、容易に検査に使用することができる。
【００４３】
次に、所定の検査視標に対応させて設定されたスイッチを使用しつつ、設定された検査距離に拘わらずに、検査距離に応じたサイズ以外の視標を表示可能にする他の例を説明する。図１３は、スイッチ２７ａにより選択される放射線視標１００ａ及びスイッチ２７ｂにより選択される点群視標１１０ｂについて、そのサイズを個別に設定するためのパラメータ設定画面８０Ａの例である。この画面８０Ａは、図４の場合と同様に、ファンクションスイッチ１３の中の何れかのスイッチの信号が入力されることにより、ＬＣＤ１２に表示される。検査距離の設定に拘わらず、放射線視標１００ａの表示サイズを個別に設定する場合には、検者はＵＰキー８４ａ又はＤＯＷＮキー８４ｂに対応するスイッチ１３ａ又は１３ｂの信号を入力し、カーソル８１ａを「Ｃｌｏｃｋ  Ｄｉａｌ  Ｓｉｚｅ」の項目に移動させる。次に、ＣＨＡＮＧＥキー８４ｃに対応するスイッチ１３ｃを押毎に、右横に表示された情報欄の値が「６ｍ」、「５ｍ」等のように変えられ、視標サイズを個別に設定できる。視標のサイズは、検査距離に対応したサイズとして選択できる。ここでは、検査距離「６ｍ」に対応したサイズに設定されているものとする。また、ＣＨＡＮＧＥキー８４ｃの操作により、右横に表示された情報欄が「Ａｕｔｏ」に変えられた場合は、検査距離の設定に応じて視標サイズが自動的に変えられる設定とされる。
【００４４】
点群視標１１０ｂの表示サイズを変える場合には、カーソル８１ａを「Ｄｏｔｓ  Ｓｉｚｅ」の項目に移動させる。ＣＨＡＮＧＥキー８４ｃの操作により、右横に表示された情報欄の値が変えられ、点群視標１１０ｂの表示サイズを個別に設定できる。図１３の例では、検査距離の設定に応じて視標サイズが自動的に変えられる「Ａｕｔｏ」の設定となっているため、放射線視標１００ａと同じく、所望のサイズに対応する距離表示に変えることにより、その設定を変更できる。
【００４５】
次に、検査動作を説明する。なお、装置本体１０の設置距離（検査距離）は、先の例と同じく、３ｍに設定されているものとする。視力検査のために、スイッチ２３により所望の視力値視標が表示されるモードが設定され、スイッチパネル２６の各スイッチ（第１視標選択スイッチ）により視力値視標の選択信号が入力されると、その選択信号に基づいてメモリ１６から視力値視標が呼び出されると共に、検査距離の設定情報とに基づいて検査距離に対応したサイズを持つ視力値視標がＬＣＤ１２に表示される。また、スイッチパネル２７に配置されたスイッチの中で、スイッチ２７ａ、２７ｂ以外のスイッチ（第１視標選択スイッチ）により、両眼視機能検査視標（例えば、図１２に示される不等像視視標１４０）が選択された場合も、検査距離の設定情報に基づいて、ＬＣＤ１２には検査距離に対応したサイズを持つ視標が表示される。
【００４６】
一方、放射線視標１００ａに対応して定められたスイッチ２７ａ（第２視標選択スイッチ）の信号が入力されると、その選択信号に基づいてメモリ１６から放射線視標１００ａが呼び出されると共に、設定画面８０Ａにて入力された設定情報に基づいたサイズの放射線視標１００ａが制御部１５の制御によりＬＣＤ１２に表示される。すなわち、この例では、設定された検査距離が３ｍであるが、検査距離６ｍのときのサイズを持つ放射線視標１００ａがメモリ１６から呼び出され、ＬＣＤ１２に表示される。また、スイッチ２７ｂ（第２視標選択スイッチ）により、点群視標１１０ｂの選択信号が入力された場合も、設定された検査距離（３ｍ）に拘わらず、設定画面８０Ａにて入力された設定情報に基づいたサイズの点群視標１１０ｂがＬＣＤ１２に表示される。これにより、検者は視認しやすい大きなサイズの視標を容易に被検者に呈示できる。
【００４７】
図１３の設定画面８０Ａを使用した方法では、先の例に対して、サイズを変更したい視標に対応する視標選択スイッチが予め定められているため、検者は何れのスイッチに視標を割り当てたかを覚えておく必要がなく、また、スイッチ操作の回数も余分に掛からないため、スムーズに検査を行うことができる。
【００４８】
なお、以上の説明では、パラメータ設定画面８０，８０Ａ、キャプチャ画面４０及び設定画面５０の表示と各設定信号を入力する操作スイッチとして、装置本体１０に設けられたファンクションスイッチ１３を用いたが、リモコン２０に配置されたスイッチを適用することも可能である。例えば、リモコン２０に設けられた所定のスイッチを押すことにより、スイッチパネル２８に配置された８方向のスイッチがファンクションスイッチ１３の代わりに機能する操作スイッチとして使用可能にされる。
【図面の簡単な説明】
【００４９】
【図１】視標呈示装置の概略構成図である。
【図２】視標呈示装置の制御ブロック図である。
【図３】リモコンの構成図である。
【図４】パラメータ設定画面の例である。
【図５】検査距離６ｍ及び検査距離３ｍでの放射線視標の例である。
【図６】キャプチャ画面について説明する図である。
【図７】設定画面について説明する図である。
【図８】点群視標及びクロスグリッド視標のキャプチャ画面の例である。
【図９】ランドルト環視標のキャプチャ画面の例である。
【図１０】視力値視標の設定画面の例である。
【図１１】メーカーにより用意された放射線視標の例である。
【図１２】メーカーにより用意された不等像視視標の例である。
【図１３】放射線視標及び点群視標のサイズを個別設定するパラメータ設定画面の例である。
【符号の説明】
【００５０】
１０  装置本体
１２  液晶ディスプレイ
１３  ファンクションスイッチ
１５  制御部
１６  メモリ
２０  リモートコントローラ
【図１】
0005073573.tif 000002
【図２】
0005073573.tif 000003
【図３】
0005073573.tif 000004
【図４】
0005073573.tif 000005
【図５】
0005073573.tif 000006
【図６】
0005073573.tif 000007
【図７】
0005073573.tif 000008
【図８】
0005073573.tif 000009
【図９】
0005073573.tif 000010
【図１０】
0005073573.tif 000011
【図１１】
0005073573.tif 000012
【図１２】
0005073573.tif 000013
【図１３】
0005073573.tif 000014